【事件の表示】
　商願２００１−３８９４３拒絶査定不服審判事件について、次のとおり審決する。
【結　論】
　本件審判の請求は、成り立たない。
【理　由】
１　本願商標
　本願商標は、「山の駅」の文字を横書きしてなり、第２９類「食肉，食用魚介類（生きているものを除く。），肉製品，加工水産物（「かつお節・寒天・削り節・食用魚粉・とろろ昆布・干しのり・干しひじき・干しわかめ・焼きのり」を除く。），かつお節，寒天，削り節，食用魚粉，とろろ昆布，干しのり，干しひじき，干しわかめ，焼きのり，豆，加工野菜及び加工果実，冷凍果実，冷凍野菜，卵，加工卵，乳製品，食用油脂，カレー・シチュー又はスープのもと，なめ物，お茶漬けのり，ふりかけ，油揚げ，凍り豆腐，こんにゃく，豆乳，豆腐，納豆，食用たんぱく」及び第３０類「コーヒー及びココア，コーヒー豆，茶，みそ，ウースターソース，ケチャップソース，しょうゆ，食酢，酢の素，そばつゆ，ドレッシング，ホワイトソース，マヨネーズソース，焼肉のたれ，角砂糖，果糖，氷砂糖，砂糖，麦芽糖，はちみつ，ぶどう糖，粉末あめ，水あめ，ごま塩，食塩，すりごま，セロリーソルト，化学調味料，香辛料，食品香料（精油のものを除く。），米，脱穀済みのえん麦，脱穀済みの大麦，食用粉類，食用グルテン，穀物の加工品，ぎょうざ，サンドイッチ，しゅうまい，すし，たこ焼き，肉まんじゅう，ハンバーガー，ピザ，べんとう，ホットドッグ，ミートパイ，ラビオリ，菓子及びパン，即席菓子のもと，アイスクリームのもと，シャーベットのもと，アーモンドペースト，イーストパウダー，こうじ，酵母，ベーキングパウダー，氷，アイスクリーム用凝固剤，家庭用食肉軟化剤，ホイップクリーム用安定剤，酒かす」を指定商品として、平成１３年４月２６日に登録出願されたものである。
　
２　原査定の拒絶の理由
　原査定は、「本願商標は、『山の駅』の文字を普通に用いられる方法で横書きしてなるが、新聞記事やインターネットの情報によると、『山の駅』の語は、『道の駅』『川の駅』などと並ぶ語として使われており、そこには、地域振興の観点から、休憩場所や交流施設、レストラン、物産コーナーなどが設けられていることよりすれば（例えば、２００１．４．４付け朝日新聞大阪地方版／岡山３３頁岡山の新聞記事、http://www.sanyo.oni.co.jp/ad/200178/080.html版（山陽新聞広告特集・岡山県８市町村特集）のインターネット情報など）、これは『山に設けられた休憩場所、交流施設』といった程度の意を認識させるに止まるから、これをその指定商品に使用しても、需要者が何人かの業務に係る商品であることを認識することができない。したがって、本願商標は、商標法第３条第１項第６号に該当する。」旨認定、判断し、本願を拒絶したものである。
　
３　当審の判断
（１）本願商標は、「山の駅」の文字よりなるところ、近年、山の駅は、全国各地において建設されており、そこには、休憩場所や交流施設、レストラン、地域の特産品やおみやげ品などを販売する物産コーナー等が設置され、地域振興にも寄与し、観光産業にも貢献している。
　これらの事実は、拒絶理由通知において開示した事実以外にも、例えば、以下の新聞記事及びインターネットのホームページ情報に数多く掲載されているところであり、これらの事実からも首肯し得るものである。
（ａ）中国新聞　１９９８．１１．０５中国朝刊
　佐波郡徳地町にある中国自動車道徳地インターチェンジ近くの国道４８９号沿いに、マツタケを目玉商品にした特産品販売所「山の駅」がお目見えし、観光客らの人気を集めている。・・・
（ｂ）朝日新聞　１９９９．０１．２０東京地方版／千葉　千葉版　
　富浦町長遠藤氏は四期目の公約として、広域農道に「山の駅」をつくり、いまの道の駅や将来の「海の駅」といったものと結んで観光産業の基盤にする。・・・
（ｃ）流通サービス新聞　１９９９．０６．２９
　長野県岡谷市、観光資源の充実に力。９７年１１月に農業構造改善事業の一つとして地元産のソバを提供する「山の駅」を開設、・・・
（ｄ）北海道新聞　２０００．１１．１７朝刊
　担当者会議には、道南の四町を含む十二市町村と本部事務局から十九人が集まった。七月に白州町で開かれた第六回全国駒ケ岳サミットの決議事項のうち、特産品の販売や気象情報の提供などができる「山の駅」整備や、高山植物を盗掘などから守るためのボランティアガイドの制度化を、加盟市町村で進めることを確認した。・・・
（ｅ）読売新聞　２００１．０５．０３西部朝刊
　［杷木町］道の駅は町の施設としては一番のヒット作と胸を張る。町では、駅を都市住民との交流を進める「日迎（ひむかえ）の里」構想の中核施設と位置づけており、さらに大手山の山頂付近に「山の駅」、原鶴温泉街近くの筑後川沿いに「川の駅」も開業させた。将来的には商店街に「街の駅」も作り、杷木に来れば、いろんな駅があると言われるようにしたい。鉄道のない町に四駅構想が広がる。・・・
（ｆ）下野新聞　２００４．０３．０７朝刊
　矢板市が昨年建設した「山の駅たかはら」。冬の間も営業しているとあって、県内外のスノーモービル、バギー愛好家からは、交通の利便性や周辺の環境が好まれ、自然発生的に八方ケ原周辺が有名スポットになっている。・・・山の駅は、国の補助金を得る条件が「通年運営」のため冬季も開いているが、・・・
（ｇ）下野新聞　２００４．０５．２２朝刊
　［矢板］たかはら森林組合は二十一日、市文化会館で通常総代会を開催、事業報告では、・・・森の駅および昨年から委託運営を始めた山の駅での販売額が計約二億六千万円であることなどが報告された。・・・
（ｈ）下野新聞　２００４．０６．０４朝刊
　［喜連川］オープン三周年を記念し「道の駅きつれがわ」は五日から十三日まで、バイクなどが当たるスタンプラリーを開く。実施店舗は施設内の店舗のほか、町中心部に四月オープンした「街の駅本陣」、お丸山公園内の「山の駅物産センター」などの協賛店。・・・
（ｉ）日本農業新聞　２００４．０８．０５　
　［広島・県央］世羅町の梨団地、世羅大豊農園で４日、露地梨「新水」の初収穫があり、・・・収穫した梨は選果した後、同農園が経営する「山の駅・ＴＡＩＨＯＵ」で販売するほか、・・・
（ｊ）読売新聞　２００４．０８．１３西部朝刊
　世界のカブトムシやクワガタを集めた「カブトムシ・クワガタ展」が、杷木町の「山の駅」で開かれている・・・
（ｋ）山の駅(福岡)　http://www.town.fukuoka.toyama.jp/seibu_kyuryou/fukuoka.html
（ｌ）山の駅「たかはら」　http://www.pref.tochigi.jp/shioya-nsj/shisetsu/chokubaijo/setsumei/s_29.html
（ｍ）那岐山麓山の駅　http://www.rakuten.ne.jp/gold/mitsuyoshi/n_real/yamanoeki/yamanoeki.htm
（ｎ）山の駅（長野県＞蓼科・白樺湖・車山・女神湖　http://www.jalan.net/kanko/SPT_172732.html
（２）以上によれば、「山の駅」の文字よりなる本願商標からは、「山に設けられた休憩場所、交流施設」の如き意味合いを理解させるにすぎないものであり、「山の駅」には地域の特産品やおみやげ品などを販売する物産コーナーが設けられていることが多いことに鑑みれば、これをその指定商品に使用しても、取引者・需要者は、自他商品を識別するための標識とは認識し得ないものと判断するのが相当である。
　ところで、商標法第３条第１項各号列挙のいわゆる自他商品又は役務の識別機能を有しない商標について商標登録できないこととするのは、それらは通常、商品又は役務を流通過程又は取引過程に置く場合に必要な表示であるから何人も使用をする必要があり、かつ、何人もその使用を欲するものだから一私人に独占を認めることは妥当でないこと、また、多くの場合にすでに一般的に使用されているものであるから、そのようなものに自他商品又は役務の識別力を認めることはできないことによると解される（社団法人発明協会発行　特許庁編「工業所有権法逐条解説（第１６版）」参照）。
　そうすると、本願商標は、上記のとおり、すでに一般的に使用されている「山の駅」の文字からなり、「山に設けられた休憩場所、交流施設」の如き意味合いを理解させるにすぎないものであるから、自他商品の識別力を認めることができないというのが相当であり、一私人に独占を認めるには妥当でないものというべきである。
（３）この点について、請求人は、「道路沿いを利用した休憩場所や交流施設」という程度の意味合いを容易に看取させる「道の駅」の語が登録されていることとの関係において、「山の駅」の語が拒絶査定を受けることは、余りにも不合理・不公平であること、請求人は、本願商標を既に使用中であることを挙げて、反論している。
　しかしながら、商標の識別性の判断は、各商標につき、それぞれの取引の実情などをも勘案し、個別具体的に判断されるべき性質のものであるところ、「道の駅」の語については、例えば、株式会社自由国民社２００３年１月１日発行「現代用語の基礎知識」によれば、「一般道路沿いに駐車場やトイレ、電話が２４時間利用できる施設をつくり、あわせて地域の特産物などを提供するスペースをもつサービスエリアをいう。建設省（現国土交通省）が１９９３年から始めたもので、２００２年８月現在、７０１カ所ある。施設は休憩、観光、地域の活性化をコンセプトに、設置主体を地元自治体あるいは公益法人とする以外、特に規制はせず、地元の創意工夫を最大限生かせるようにしている。」と説明されているように、「道の駅」は、建設省（現国土交通省）が推進してきた事業であり、「道の駅」の登録も平成４年（１９９２年）９月３０日に建設省道路局長の名において出願され、同８年（１９９６年）１月３１日に設定登録されたものである。
　そうとすれば、「道の駅」の制度が発足した当時における該語に対する取引者・需要者の認識と、その後これに倣ったかのように全国各地にみられるようになった「山の駅」についての該語に対する取引者・需要者の現時点における認識には、自ずと明らかな差異があるものというべきであるから、それら各商標についての識別性の判断が異なるものとなったからといって、不合理であるということはできない。
　また、請求人が提出した使用事実を証明する写真によれば、請求人が使用しているのは、「山の駅よって亭」の構成からなる商標であり、単なる「山の駅」とは別異の商標であって、その識別性もまた別途、判断されるべきものである。
　してみれば、これらの点についての請求人の主張は、いずれも採用することはできない。
（４）したがって、本願商標を商標法第３条第１項第６号に該当するとして、その出願を拒絶した原査定は、妥当であって取り消すことはできない。
　よって、結論のとおり審決する。